(57)【特許請求の範囲】
【請求項１】
被検体が載置される面に設置されるベース部と、
載置される前記被検体の体軸方向に直線的に延びているとともに、基端部を軸として前記ベースに回転可能に設けられたアーム部と、
前記被検体の頭部の一部を載置するとともに、アーム部が前記直線的に延びている方向に沿って前記アーム部に対して移動可能に設けられた頭部保持部とを備えたことを特徴とする首部固定具。
【請求項２】
前記頭部保持部は、前記ベース部の面に対して平行な面における前記被検体の体軸方向に直交する方向を軸として回転可能であることを特徴とする請求項１に記載の首部固定部。
【請求項３】
前記アーム部の全体が、前記ベースの面に対して直交する方向に移動可能であることを特徴とする請求項１又は請求項２に記載の首部固定具。
【発明の詳細な説明】
【０００１】
【発明の属する技術分野】
本発明は、被検体の首を固定する固定具に関する。
【０００２】
【従来の技術】
近年、MRI(Magnetic Resonance Imaging)装置ではボアの径が大きくなり、様々な姿勢で被検体を診断することが可能となっている。
【０００３】
首を様々な角度に傾け、首の骨の状態をMRI装置で撮像する場合に、図１６に示すような首部固定具が用いられている。
この首部固定具の斜視図である(a)図において、被検体が載置される面に設置されるベース部２には、被検体の頭部が載置される頭部保持部４がねじ６を用いて取り付けられている。
【０００４】
上記構成の首部固定具では、ねじ６を緩めることにより、頭部保持部４はベース部２に対して回転し、ねじ６を締めることにより、頭部保持部４はその位置を保持するようになっている。
【０００５】
又、首部固定具を被検体に装着した際の(a)図におけるA方向矢視図である(b)図に示すように、頭部保持部４は、クッション材(パッド)８が設けられ、被検体の頭部１０はクッション材８上に載置され、額に当接するバンド１２でもって、頭部保持部４に固定されている。
【０００６】
【発明が解決しようとする課題】
しかし、首は、他の関節、例えば、ひじ、膝,手首,足首等と同様に可動可能であるが、異なる点がある。
【０００７】
即ち、ひじ,膝,手首,足首等の動きは、回転中心が一定の動きであるのに対し、七つの椎骨からなる首の動きは、各椎骨が個々に移動することによりなされるものであり、回転中心が変化する動きである点が異なる。
【０００８】
図１６に示すような構成の首部固定具を用いて、首を様々な角度に傾ける場合、回転中心位置が変化する被検体の首の骨の動きと、回転中心位置が一定の頭部保持部４の動きとが一致しない。
【０００９】
従って、被検体の頭部１０と、頭部保持部４との間にずれが生じ、バンド１２が被検体の頭部１０より外れたり、被検体の目や鼻に当たる問題点がある。
本発明は、上記問題点に鑑みてなされたもので、その課題は、首の動きと、頭部保持部の動きとが一致する首部固定具を提供することにある。
【００１０】
【課題を解決するための手段】
上記課題を解決する請求項１記載の発明は、被検体が載置される面に設置されるベース部と、載置される前記被検体の体軸方向に延びているとともに、基端部を軸として前記ベースに回転可能に設けられたアーム部と、前記被検体の頭部を載置するとともに、アーム部が延びている方向に沿って前記アーム部に移動可能に設けられた頭部保持部とを備えたことを特徴とする首部固定具である。
【００１１】
アーム部の回転に伴い、被検体の頭部が載置された頭部保持部がアーム部に沿って移動し、被検体の頭部と頭部保持部との間のずれが防止され、被検体の首の動きと首部保持部の動きとが一致する。
【００１２】
請求項２記載の発明は、請求項１記載の発明の前記頭部保持部は、前記ベース部の面に対して平行な面における前記被検体の体軸方向に直交する方向を軸として回転可能であることを特徴とする首部固定具である。
【００１３】
被検体の首を大きく回転しようとする際に、被検体の頭部がMRI装置のボア内周面近傍まで移動し、それ以上アーム部を回転すると、被検体の頭部がMRI装置のボア内周面に当たってしまう場合、頭部保持部をアーム部に対して回転させることにより、被検体の頭部と、MRI装置のボア内周面との当接を回避しつつ、被検体の首を更に回転させることができる。
【００１４】
請求項３記載の発明は、請求項１記載の発明の前記アーム部の全体が、前記ベースの面に対して直交する方向に移動可能であることを特徴とする首部固定具である。
【００１５】
被検体の首を大きく回転しようとする際に、被検体の頭部がMRI装置のボア内周面近傍まで移動し、それ以上アーム部を回転すると、被検体の頭部が被検体のMRI装置のボア内周面に当たってしまう場合、アーム部をベースの面に対して上方向又は下方向に移動させることで、被検体の頭部と、MRI装置のボア内周面との当接を回避しつつ、被検体の首を更に回転させることができる。
【００１６】
本発明の首部固定具をMRI装置に用いる場合、最初に、被検体の頭部を頭部保持部に保持する。その後、頭部保持部がアーム部に対して移動可能な状態で、アーム部を回転する。すると、アーム部の回転に伴い、頭部保持部はアーム部に沿って移動し、被検体の頭部と、頭部保持部との間のずれが防止され、被検体の首の動きと、首部保持部の動きとが一致する。
【００１７】
又、被検体の首を大きく回転しようとする際に、被検体の頭部がMRI装置のボア内周面近傍まで移動し、それ以上アーム部を回転すると、被検体の頭部がMRI装置のボア内周面に当たってしまう場合には、頭部保持部をアーム部に対して回転させたり、アーム部をベースに対して略直交する方向に移動させることで、被検体の頭部と、MRI装置のボア内周面との当接を回避しつつ、被検体の首を更に回転させることができる。
【００１８】
【発明の実施の形態】
次に図面を用いて本発明の一実施の形態を説明する。
尚、本実施の形態例の首部固定具は、載置される被検体の体軸Oに関して線対称な構成であるので、図１において体軸Oより右側の部分を重点的に説明し、体軸Oより左側の部分には番号に「ダッシュ(′)」を付し、重複した説明は省略する。
【００１９】
(1) 全体の構成
図１を用いて、本実施の形態例の首部固定具の全体構成を説明する。図１は本発明の一実施の形態例の首部固定具の斜視図である。
【００２０】
被検体が載置される面に設置されるベース２２の両側部には、支柱２４,２４′が立設されている。支柱２４,２４′には、ベースに対して略垂直方向、即ち、図において矢印B方向に移動可能に設けられた第１及び第１′のスライド部材４０,４０′が設けられている。
【００２１】
そして、第１及び第１′のスライド部材４０,４０′には、略コ字形のアーム６０が設けられている。このアーム６０は、基端部が第１及び第１′のスライド部材４０,４０′に回転可能に取り付けられた第１及び第２のアーム部６２,６４と、これら第１及び第２のアーム部６２,６４の先端部側を橋絡する橋絡部６６とから構成され、図において、矢印C方向に回転可能となっている。
【００２２】
又、アーム６０の第１及び第２のアーム部６２,６４間には、被検体の頭部が載置される頭部保持部としてのヘッドレスト８２が配置され、このヘッドレスト８２は、第１及び第２のアーム部６２,６４に沿って移動可能(図において矢印D方向)に、又、第１及び第２のアーム部６２,６４に対して回転可能(図において矢印E方向)に取り付けられている。
【００２３】
更に、ヘッドレスト８２の中央には被検体の頭部を保持するクッション８７が設けられ、ヘッドレスト８２の対向する両側には、載置される被検体の頭部を固定するバンドが取り付けられるバンド係止部８１,８３が設けられている。
(2) 支柱２４,２４′と、第１及び第１′のスライド部材４０,４０′との取付け
図１と、図１での切断線F-Fにおける断面図である図２とを用いて説明する。図１に示すように、支柱２４には、上面２４ａと、載置される被検体の体軸Oと交差する二つの側面２４ｂ,２４ｃのうち、被検体の頭部側の側面２４ｂとに開口を有するスリット２６が形成されている。
【００２４】
又、支柱２４の側面のうち、載置される被検体の体軸Oと略沿った二つの側面２４ｄ,２４ｅのうち、被検体と対向する側面２４ｅと反対側の側面２４ｄには、ベース２２に対して直交する方向(上下方向)に延び、スリット２６内まで貫通した長穴３０が形成されている。
【００２５】
一方、図２に示すように、スリット２６内に、第１のスライド部材４０の下部が嵌合し、第１のスライド部材４０は、スリット２６に沿って上下方向に移動可能となっている。
【００２６】
スライド部材４０のスリット２６内に位置する部分には、ベース２２と略平行な方向にめねじ穴４２が形成されている。
そして、支柱２４の長穴３０の幅より大きな径を有する頭部５２と、頭部５２に設けられたおねじ５４とからなるノブ(knob)５０のおねじ５４が、長穴３０を挿通し、第１のスライド部材４０のめねじ穴４２に螺合し、頭部５２が支柱２４の側面２４ｄに押接することで、第１のスライド部材４０の移動が禁止されている。
(3) アーム６０と第１のスライド部材４０との取付け
図１と、図１での切断線G-Gにおける断面図である図３とを用いて説明する。
【００２７】
図３に示すように、第１のアーム部６２の回転基端部には、大径部６２ｂと、小径部６２ｃとからなり、段を有する貫通穴６２ａが形成されている。一方、第１のスライド部材４０には貫通めねじ穴４４が形成されている。
【００２８】
第１のアーム部６２の貫通穴６２ａの小径部６２ｃには、円筒状のスペーサ７６が嵌合し、スペーサ７６を挿通し、第１のスライド部材４０の貫通めねじ穴４４に螺合するねじ７０により、第１のアーム部６２は第１のスライド部材４０に回転可能に取り付けられている。尚、本実施の形態例では、貫通穴６２ａの大径部６２ｂに嵌合する化粧ふた７２でもって、ねじ７０の頭部を隠蔽するようにしている。
【００２９】
又、図１に示すように、第１のスライド部材４０の上部には、貫通めねじ穴４４を中心とする円弧状の周面４０ａが形成されている。この周面４０ａ上には、所定の間隔で、複数のロック穴４０ｂが形成されている。
【００３０】
アーム６０の第１及び第２のアーム部６２,６４には、ガイド部材１００,１０２によって、アーム６０の第１及び第２のアーム部６２,６４に沿って移動可能に支持されたロック棒１０６が配置されている。
【００３１】
ロック棒１０６の一方の端部は、第１のスライド部材４０の周面４０ａ上に複数形成されたロック穴４０ｂに係合可能となっている。
アーム６０の橋絡部６６には、中間部にハンドル１１０が取り付けられ、ガイド部材１０４,１０４′によって、ロック棒１０６,１０６′の移動方向と同一方向、即ち、橋絡部６６に接近/離反可能なように支持されたハンドルバー１１２が配置されている。
【００３２】
更に、このハンドルバー１１２には、ロック棒１０６,１０６ ′の他方の端部が接続され、ハンドルバー１１２とロック棒１０６は一体化されている。
図３に示すように、アーム６０の橋絡部６６の両側には、２つの開口６６ｂ,６６ｃを有する略U字形の穴６６ａが形成されている。ハンドルバー１１２にも、アーム６０の穴６６ａの一方の開口６６ｃに対向する穴１１２ａが形成されている。
【００３３】
そして、一方の端部がアーム６０の開口６６ｂに係止され、中間部がアーム６０の穴６６ａ、更に、ハンドルバー１１２の穴１１２ａを挿通し、他方の端部が穴１１２ａの開口１１２ｂに係止されるゴムひも等の線状の弾性部材１３０によって、ハンドルバー１１２はアーム６０の橋絡部６６に当接する方向に付勢されるようになっている。尚、本実施の形態例の弾性部材１３０と開口６６ｂ,１１２ｂとの係止方法は、弾性部材１３０の端部を丸結びして、弾性部材１３０の端部をアーム６０の穴６６ａ及びハンドルバー１１２の穴１１２ａの径より大きくすることで行なった。
【００３４】
又、ロック棒１０６の長さは、ハンドルバー１１２がアーム６０の橋絡部６６に当接した時に、第１のスライド部材４０のロック穴４０ｂに係合するように設定され、弾性部材１３０の自然状態では、アーム６０のねじ７０を中心とする回転は禁止されている。
【００３５】
ハンドルバー１１２を弾性部材１３０の付勢力に抗して、アーム６０の橋絡部６６よりより離反する方向に移動すると、ロック棒１０６と第１のスライド部材４０のロック穴４０ｂとの係合が解除され、アーム６０のねじ７０を中心とする回転が可能となっている。
(4) ヘッドレスト８２とアーム６０との取付け
図１と、図１での切断線H-Hにおける断面図である図４と、図１に示すヘッドレストの側面を示す図である図５と、図１に示すアームの第１のアーム部のスライド部分の上面図である図６とを用いて説明する。
【００３６】
図１に示すように、アーム６０の第１及び第２のアーム部６２,６４には、断面形状が略C状の第２のスライド部材８０,８０′が第１及び第２のアーム部６２,６４に沿って移動可能に係合し、これら第２のスライド部材８０,８０′間に、被検体の頭部が載置される頭部保持部としてのヘッドレスト８２が配置される。
【００３７】
図４に示すように、第２のスライド部材８０のヘッドレスト８２と対向する面には、大径部８０ｂと小径部８０ｃとからなる貫通穴８０ａが形成されている。一方、ヘッドレスト８２には、第２のスライド部材８０の貫通穴８０ａに対向するめねじ穴８２ａが形成されている。
【００３８】
そして、第２のスライド部材８０の貫通穴８０ａの小径部８０ｃには、つばが形成された円筒状のスペーサ９０が嵌合し、スペーサ９０を挿通し、ヘッドレスト８２のめねじ穴８２ａに螺合するねじ９１により、ヘッドレスト８２は、第２のスライド部材８０にねじ９１を軸として回転可能に取り付けられている。
【００３９】
更に、第２のスライド部材８０の下面には、ヘッドレスト８２に向かって延びる溝８０ｄが形成されている。一方、ヘッドレスト８２には、図５に示すように、めねじ穴８２ａを中心とする円周上に形成され、第２のスライド部材８０の溝８０ｄに対向可能な複数のロック穴８２ｂが形成されている。
【００４０】
従って、第１のロックピン８６を第２のスライド部材８０,８０′の溝８０ｄを介して、ヘッドレスト８２のロック穴８２ｂに係脱することにより、ヘッドレスト８２のねじ９１を回転軸とする回転が禁止/許可されるようになっている。
【００４１】
第２のスライド部材８０の上面には、図４に示すように、貫通穴８０ｅが形成されている。一方、図４及び図６に示すようにアーム６０の第１及び第２のアーム部６２，６４の上面には、第２のスライド部材８０の貫通穴８０ｅと対向可能な複数のロック穴６２ｅが形成されている。
【００４２】
従って、第２のロックピン８８を第２のスライド部材８０の貫通穴８０ｅを介して、アーム６０の第１のアーム部６２のロック穴６２ｅに対して係脱することにより、第２のスライド部材８０、及び、この第２のスライド部材８０に取り付けられたヘッドレスト８２のアーム６０の第１及び第２のアーム部６２,６４に沿った移動が禁止/許可されるようになっている。
【００４３】
尚、図１０は図１において、矢印I方向から見た正面図、図１１は図１０における背面図、図１２は図１０における平面図、図１３は図１０における底面図、図１４は図１０における右側面図(尚、左側面図は右側面図と対称にあらわれる。)、図１５は図１０の切断線J-Jにおける断面図である。
【００４４】
次に、このような構成の首部固定具を用いて、MRI装置で首の骨の検査を行なう場合の動作を図７及び図８を用いて説明する。
図７において、２００は、被検体Pが載置され、図において矢印K方向に移動することにより、被検体PをMRI装置２５０のボア２１１内へ搬送、又、ボア２１１内へ搬送した被検体をボア２１１より搬出するテーブルである。
【００４５】
このテーブル２００上には、マット２０１が載置され、更に、マット２０１とテーブル２００との間にベース２２が嵌挿されるように、首部固定具がセットされている。
【００４６】
被検体Pは、頭部Hがヘッドレスト８２上に載置されるように、マット２０１上に載置される。
図８に示すように、被検体Pの頭部Hは、ヘッドレスト８２に設けられたバンド係止部８１,８３に係止されたバンド２１０で、ヘッドレスト８２へ固定され、更に、被検体Pの検査部位である首部には、コイル２２０がセットされる。
【００４７】
尚、MRI装置が垂直磁場型の場合は、コイル２２０はソレノイドコイル、水平磁場型の場合は、サドルコイルが用いられる。
そして、第２のロックピン８８,第２′のロックピン８８′を取り外し、ヘッドレスト８２を第１及び第２のアーム部６２,６４に沿って移動可能な状態とし、弾性部材１３０の付勢力に抗してハンドルバー１１２をアーム６０の橋絡部６６より離れる方向に移動させる。これにより、ロック棒１０６,１０６′の一方の端部と、第１のスライド部材４０,４０′のロック穴４０ｂとの係合が解除され、アーム６０はねじ７０を回転軸として回転可能な状態となる。
【００４８】
ここで、アーム６０を所望の角度まで回転させる。この時、ヘッドレスト８２は、被検体Pの首の動きに追従して、第１及び第２のアーム部６２,６４に沿って移動する。
【００４９】
アーム６０を所望の角度まで回転させた後、ハンドルバー１１２への操作力を解除すると、弾性部材１３０の付勢力により、ハンドルバー１１２はアーム６０の橋絡部６６に当接する方向に移動し、ロック棒１０６,１０６′の一方の端部は、第１のスライド部材４０,４０′の対応するロック穴４０ｂに係合し、アーム６０の回転は禁止される。
【００５０】
更に、第２のロックピン８８,第２′のロックピン８８′を第２及び第２′のスライド部材８０,８０′の貫通穴８０ｅ,８０ｅ′を介して、アーム６０のロック穴６２ｅ,６２ｅ′へ係合させ、ヘッドレスト８２のアーム６０の第１及び第２のアーム部６２,６４に沿う移動を禁止する。
【００５１】
尚、図９(a)に示すように、被検体Pの首を大きく回転しようとする際に、被検体Pの頭部HがMRI装置２５０のボア２１１の内周面W近傍まで移動し、それ以上アーム６０を回転すると、被検体Pの頭部HがMRI装置２５０のボア２１１の内周面Wに当たってしまう場合には、図９(b)に示すように、ヘッドレスト８２をアーム６０に対して回転させることにより、被検体Pの頭部Hと、MRI装置２５０のボア２１１の内周面Wとの当接を回避しつつ、被検体Pの首を更に回転させることが可能である。
【００５２】
ヘッドレスト８２をアーム６０に対して回転させるには、第１のロックピン８６,８６′を引き抜く。すると、第１のロックピン８６,８６′のヘッドレスト８２のロック穴８２ｂ,８２ｂ′への嵌合が解除され、ヘッドレスト８２はねじ９１,９１′を回転軸として、アーム６０に対して回転可能な状態となる。
【００５３】
ヘッドレスト８２を所望の回転位置まで回転させた後、第１のロックピン８６,８６′を対応するヘッドレスト８２のロック穴８２ｂ,８２ｂ′へ嵌合させることで、再びロック状態となり、ヘッドレスト８２の回転は禁止される。
【００５４】
同様に、被検体Pの頭部HがMRI装置２５０のボア２１１の内周面W近傍に至り、それ以上アーム６０を回転すると、被検体Pの頭部HがMRI装置２５０のボア２１１の内周面Wに当たってしまう場合には、第１のスライド部材４０を上又は下方向に移動させ、MRI装置２５０のボア２１１の内周面Wから被検体Pの頭部Hを離すことで、更に、アーム６０を回転させることが可能である。
【００５５】
第１のスライド部材４０を上下方向に移動させるには、ノブ５０,５０′を緩めることにより、第１のスライド部材４０,４０′、則ち、アーム６０は、支柱２４,２４′の長穴３０、３０′に沿って移動可能となる。
【００５６】
アーム６０を所望の高さまで移動させた後、ノブ５０,５０′螺合を締めることにより、アーム６０の移動が禁止される。
上記構成の首部固定具によれば、アーム６０を回転する際に、ヘッドレスト８２をアーム６０に沿って移動可能な状態とすることで、アーム６０の回転に伴い、被検体Pの頭部Hが載置されたヘッドレスト８２がアーム６０に沿って移動し、被検体Pの頭部Hと、ヘッドレスト８２との間のずれが防止され、被検体Pの首の動きと、ヘッドレスト８２との動きとを一致させることができる。
【００５７】
又、被検体Pの頭部HがMRI装置２５０のボア２１１の内周面W近傍に至り、それ以上アーム６０を回転すると、被検体Pの頭部Hが被検体のMRI装置２５０のボア２１１の内周面Wに当たってしまう場合でも、ヘッドレスト８２をアーム６０に対して回転させることで、又は、第１のスライド部材４０を上又は下方向に移動させることで、更に、被検体Pの首を回転させることができる。
【００５８】
【発明の効果】
以上述べたように、請求項１記載の発明によれば、被検体の首の動きと、首部保持部の動きとを一致させることができる。
【００５９】
請求項２及び請求項３記載の発明によれば、被検体の頭部と、MRI装置のボア内周面との当接を回避しつつ、被検体の首を更に回転させることができる。
【図面の簡単な説明】
【図１】本発明の一実施の形態例の首部固定具の斜視図である。
【図２】図１での切断線F-Fにおける断面図である。
【図３】図１での切断線G-Gにおける断面図である。
【図４】図１での切断線H-Hにおける断面図である。
【図５】図１に示すヘッドレストの側面を示す図である。
【図６】図１に示すアームの第１のアーム部のスライド部分の上面図である。
【図７】図１に示す首部固定具がセットされたMRI装置の全体を説明する図である。
【図８】図１に示す首部固定具の使用状態を示す図である。
【図９】図１に示す首部固定具の動作を示す図である。
【図１０】図１において、矢印I方向から見た正面図である。
【図１１】図１０における背面図である。
【図１２】図１０における平面図である。
【図１３】図１０における底面図である。
【図１４】図１０における右側面図である。
【図１５】図１０の切断線J-Jにおける断面図である。
【図１６】従来の首部固定具を説明する図である。
【符号の説明】
２２  ベース(ベース部)
６０  アーム(アーム部)
８２  ヘッドレスト(頭部保持部)
【図１】
0003898840.tif 000002
【図２】
0003898840.tif 000003
【図３】
0003898840.tif 000004
【図４】
0003898840.tif 000005
【図５】
0003898840.tif 000006
【図６】
0003898840.tif 000007
【図７】
0003898840.tif 000008
【図８】
0003898840.tif 000009
【図９】
0003898840.tif 000010
【図１０】
0003898840.tif 000011
【図１１】
0003898840.tif 000012
【図１２】
0003898840.tif 000013
【図１３】
0003898840.tif 000014
【図１４】
0003898840.tif 000015
【図１５】
0003898840.tif 000016
【図１６】
0003898840.tif 000017